(57)【要約】【課題】  給紙される用紙が不定形サイズでも、適性に用紙サイズを確定することができ、スムーズに手差し印字を継続する。【解決手段】  ジョブが開始されると、操作部より用紙サイズが入力されたか否かを判定し（ステップＳＴ２）、操作部より用紙サイズが入力された場合に、そのサイズを用紙サイズと確定する（ステップＳＴ３）。一方、操作部より用紙サイズが入力されていない場合は、サイズセンサにより用紙サイズを検知したか否かを判定し（ステップＳＴ４）、用紙サイズが検知された場合に、その検知サイズを用紙サイズと確定する（ステップＳＴ５）。【選択図】      図３
2005194020.tif 000002
【特許請求の範囲】
【請求項１】
手差し給紙部と、
用紙サイズを操作により入力する第１の用紙サイズ入力手段と、
給紙される用紙のサイズを検出し、検出した用紙サイズを入力する第２の用紙サイズ入力手段と、
を備えたことを特徴とする手差し機能付き記録装置。
【請求項２】
前記第１の用紙サイズ入力手段より用紙サイズで入力有りの場合に、その入力された用紙サイズを確定し、前記第１の用紙サイズ入力手段より用紙サイズが入力されない状態で、前記第２のサイズ入力手段による入力有りの場合に、この用紙サイズ検出により入力されたサイズを用紙サイズと確定することを特徴とする請求項１記載の手差し機能付き記録装置。
【請求項３】
前記第１の用紙サイズ入力手段より入力された用紙サイズが登録されている状態で、前記第２の用紙サイズ入力手段より入力された用紙サイズが、前記登録用紙サイズと一致するか否かを判定する手段と、
前記判定が一致の場合、その用紙サイズを確定する用紙確定手段と、
前記判定が一致でない場合、検出された用紙サイズを確定用紙サイズに変更するかを問い合わせる問い合わせ手段と、
を備えることを特徴とする請求項１又は請求項２記載の手差し機能付き記録装置。
【請求項４】
前記検出された用紙サイズを確定用紙サイズに変更するかの問い合わせに対し「ＹＥＳ」の応答有りの場合に、第２の用紙サイズ入力手段よりの用紙サイズを確定し、「ＮＯ」の応答有りの場合は、登録される用紙サイズのままとすることを特徴とする請求項３記載の手差し機能付き記録装置。
【発明の詳細な説明】
【技術分野】
【０００１】
この発明は、複写機、複写機能・ファクシミリ機能等の多機能を有する複合機、プリンタ装置等の記録装置、特に手差し機能付きの記録装置に関する。
【背景技術】
【０００２】
複写装置等の記録装置には、用紙カセット装着部等の他に、手差し給紙部を有し、手差しでコピーを行う場合がある。この種の手差し機能付きの記録装置において、この手差し給紙部よりの用紙により、コピー（プリント）を行うのに、手差し給紙部がマルチ手差しの場合、記録装置が認識している用紙サイズと、実際に手差し給紙部にセットされた用紙のサイズが異なる場合、用紙サイズエラーを表示し、ユーザに対し、正しい用紙サイズを設定するように促し、再設定してもらうようにしている。一方、手差し給紙部がシングル手差しの場合は、装置が認識する用紙サイズと、実際にセットされている用紙のサイズが異なる場合は、用紙サイズエラーを無視して、そのままコピー処理している。
【０００３】
また、紙サイズ不定の手差し給紙口等の用紙サイズを外部から指定して、そのサイズに従った印字シーケンスを行う印字モードと、外部から指定せず、プリンタ自身が用紙のサイズを測定して、そのサイズに従った印字シーケンスを取る印字モードを有するとともに、外部から紙サイズが指定された後、手差し給紙口の用紙がなくなった場合には、一旦、測定サイズモードに切り換わり、その用紙サイズ測定後に適した紙サイズモードに切り換わるようにした技術が開示されている（例えば、特許文献１参照）。
【特許文献１】特開平５−１６２８７３号公報
【発明の開示】
【発明が解決しようとする課題】
【０００４】
手差し給紙部よりの用紙で、コピー処理する場合、用紙サイズが検知され、装置の予め認識しているサイズが一致すると、手差し給紙部からプリンタ部に給紙される用紙は、そのサイズに対応した間隔で、順次、給送されて来る。つまり、そのサイズに沿った印字シーケンスを実行する。しかし、用紙が不定形サイズなどでサイズ検知できない場合が生じる。例えばＡ４サイズの印字シーケンスで進行しており、Ａ４に対応する間隔で順次、紙送りしている場合に、途中にＡ４より大きい不定形サイズの用紙が給紙されると、用紙サイズエラーを表示し、ユーザに対し正しい用紙設定をするよに促すので、そのままで、印字を継続できる場合でも、処理を中断し、結果的に印字効率を落とす上、ユーザに頒雑感を与えるという問題があった。用紙サイズが不明の場合、特許文献１に記載の技術でも、この問題を解決することができない。
【０００５】
この発明は上記問題点に着目してなされたものであって、不定形サイズでも、印刷効率を下げることなく、操作に頒雑感を与えることなく、給紙用紙サイズを適性に確定し得る手差し機能付き記録装置を提供することを目的とする。
【課題を解決するための手段】
【０００６】
この発明の手差し機能付き記録装置は、用紙サイズを操作により入力する第１の用紙サイズ入力手段と、給紙される用紙サイズを検出し、検出した用紙サイズを入力する第２の用紙サイズ入力手段と、を備えている。この記録装置では、第１の用紙サイズ入力手段と第２の用紙サイズ入力手段のいずれかで用紙サイズを入力できるので、種々の用紙サイズを確実に入力できる。
【０００７】
また、この発明の手差し機能付き記録装置においては、前記第１の用紙サイズ入力手段より用紙サイズで入力有りの場合に、その入力された用紙サイズを確定し、前記第１の用紙サイズ入力手段より用紙サイズが入力されない状態で、前記第２のサイズ入力手段による入力有りの場合に、この用紙サイズ検出により入力されたサイズを用紙サイズと確定することができる。
【０００８】
また、この発明の手差し機能付き記録装置において、前記第１の用紙サイズが登録されている状態で、前記第２の用紙サイズ入力手段より入力された用紙サイズが、前記登録用紙サイズと一致するか否かを判定する手段と、前記判定が一致の場合、その用紙サイズを確定する用紙確定手段と、前記判定が一致でない場合、検出された用紙サイズを確定用紙サイズに変更するかを問い合わせする問い合わせ手段と、を備えることもできる。
【０００９】
また、この発明の手差し機能付き記録装置において、前記検出された用紙サイズを確定用紙サイズに変更するかの問い合わせに対し「ＹＥＳ」の応答有りの場合に、第２の用紙サイズ入力手段よりの用紙サイズを確定し、「ＮＯ」の応答有りの場合は、登録される用紙サイズのままとすることもできる。
【発明の効果】
【００１０】
この発明によれば、用紙サイズを操作により入力する第１の用紙サイズ入力手段と、給紙される用紙のサイズを検出し、検出した用紙サイズを入力する第２の用紙サイズ入力手段のいずれかを選択して、用紙サイズを入力できるので、給紙される用紙が不定形サイズの場合でも、適性に用紙サイズを確定することができ、スムーズに手差し印字を継続することができる。また、操作による入力は、用紙サイズの別を比較的細かく入れることができ、検出した用紙サイズを入力する場合は、自動で入力できるので、それぞれの入力手段の特長を生かした入力を選択できる。
【発明を実施するための最良の形態】
【００１１】
以下、実施の形態により、この発明を更に詳細に説明する。
【００１２】
その実施形態に係る記録装置としてのファクシミリ装置の概略模式図を図１に示す。このファクシミリ装置１は、ファクシミリ機能とコピー機能を併有する複合機として構成したものであり、装置本体２の上部一端側に原稿自動給紙装置（ＡＤＦ）３が設けられるとともに、読み取る原稿をセットするための原稿供給トレイ６及び読み取り後の原稿を排出するための原稿排出トレイ７が設けられている。また、ＡＤＦ３及びトレイ６，７は一体的に前側を開閉可能に後側で装置本体２にヒンジ連結されており、ＡＤＦ３及びトレイ６，７の下側にフラットベッドスキャナ（ＦＢＳ）４が配備されている。但し、これら各部は、従来の装置と機能的に差異は無いので、詳細は省略する。
【００１３】
このファクシミリ装置１の装置本体２内部には、プリントすべき用紙を収納する用紙カセット８が設けられている。また、本体装置１の側部に手差し部９が設けられ、装置本体２の他方の側部に排紙トレイ１０が設けられている。用紙カセット８あるいは手差し部９から給紙された用紙４０は、感光ドラム４１によってプリントされ、画像記録済み用紙が排紙トレイ１０に排出される。給紙搬送上には、用紙の長さを検出するサイズセンサ４２が設けられている。
【００１４】
このファクシミリ装置１の構成例を図２にブロック図で示す。このファクシミリ装置１は、主制御部（ＣＰＵ）１１と、ＮＣＵ１２と、ＭＯＤＥＭ１３と、ＲＯＭ１４と、ＲＡＭ１５と、画像メモリ１６と、音声データメモリ１７と、音声出力部１８と、表示部１９と、操作部２０と、画像読取部２１と、画像記録部２２と、ＣＯＤＥＣ２３と、ＬＡＮ  Ｉ／Ｆ２４と、バス２５と、手差し部制御部２８と、サイズセンサ４２、４３及び手差し部センサ４４とを備えている。
【００１５】
主制御部１１は、ＲＯＭ１４に記憶されたプログラムに従い、この装置１を構成する各部を制御する。また、主制御部１１は、操作部よりサイズ入力有りか否かを判別する機能、サイズセンサにより用紙サイズを検知したか否かを判別する機能、操作部よりサイズ入力有りの判別により、用紙サイズを確定する機能、サイズセンサによる用紙サイズ検知により用紙サイズを確定する機能を有する他、手差し給紙の場合、２枚以上のプリントの場合、用紙サイズが不明か否か判別し、不明の場合には、プリント完了で、次ページ有りの場合に、次ページ給紙を行い、次ページ無しの場合に、そのまま処理を終了する制御を行う。また、プリント完了するまでは、用紙サイズがＡ３以内か否かを判別し、プリント完了までに用紙サイズの測定値がＡ３用紙の長さを越える場合には、用紙ジャムが発生しているとの判断する制御を行う。
【００１６】
ＮＣＵ１２は、電話回線２６との接続を制御するとともに、相手先の電話番号（対応したダイヤル信号）を送出するための機能、及び着信を検出するための機能を備えている。また、ＮＣＵ１２は、ダイヤルトーン、ＣＮＧ（コーリングトーン）信号等を電話回線２６より受信する。ＭＯＤＥＭ１３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。
【００１７】
ＲＯＭ１４は、装置全体を制御するためのプログラムを記憶する。ＲＡＭ１５は、装置１に関する各種情報を一時的に記憶する。また、ＲＡＭ１５は、Ａ３紙の長さに相当する値を記憶するサイズメモリ１５ａを有する。画像メモリ１６は、受信画像データや画像読取部２１で読み取られた画像データを一時的に記憶する。
【００１８】
音声データメモリ１７は、各種音声ガイダンスとしての音声データを記憶する。音声データは、例えば用紙ジャム発生時に「用紙ジャムが発生しました。除去して下さい」、「紙詰まりです」、…等である。音声出力部１８は、その音声データメモリ１７に記憶された音声ガイダンスをスピーカなどにより出力する。表示部１９は、装置の動作状態等の各種情報、転送時間帯等の表示を行う。操作部２０は、用紙サイズを設定入力するためのキーの他、テンキー、ワンタッチキー、スタートキー、その他のキーで構成される。この操作部２０より、Ａ３、Ａ４、Ｂ４、Ｂ５等の用紙サイズが設定可能である。更に、テンキー等により、他の用紙サイズも設定できる。
【００１９】
画像読取部２１は、原稿上の画像データを読み取って、イメージデータを出力する。画像記録部２２は、電子写真式のプリンタよりなり、受信画像データや、コピー動作において画像読取部２１で読み取られた原稿の画像データを用紙上に記録する。ＣＯＤＥＣ２３は、送信すべき画像データを符号化し、また受信した画像データを復号する。ＬＡＮ  Ｉ／Ｆ２４は、ＬＡＮ２７を介して外部機器と各種データの送受信を行う。
【００２０】
手差し部制御部２８は、上記装置本体２内部に設けられた手差し部９の動作を制御し、具体的には手差し部９が本体２から開かれたことを手差し部センサ４４のオンにより検出し、主制御部１１からの指令により、給紙などを制御する。
【００２１】
次に、上記実施形態装置ファクシミリ装置において、手差し給紙時の処理動作を、図３、図５に示すフロー図を参照して説明する。このジョブが開示されると、ステップＳＴ１において、手差し部９に対し、用紙セットを受け付ける。続いて、ステップＳＴ２へ移行する。ステップＳＴ２においては、操作部２０より用紙サイズが入力されたか否か判定する。キー操作により、用紙サイズが入力された場合は、ステップＳＴ３へ移行し、このキー操作により入力された用紙サイズを確定する。一方、キー操作によるサイズ入力がなされていない場合は、ステップＳＴ４へ移行する。
【００２２】
ステップＳＴ４においては、サイズセンサにより、給紙された用紙サイズが検知されたか否かを判定する。ここでは、サイズセンサ４２により用紙の長さが検知され、サイズセンサ４３により、用紙の幅が検知され、両サイズセンサ４２、４３の出力より、用紙がどの定形サイズであるかを検知する。どの定形サイズであるか検知された場合には、ステップＳＴ５へ移行する。ステップＳＴ５においては、検知した用紙サイズを用紙サイズと確定する。一方、検知したサイズが不定形サイズの場合は、用紙サイズを確定することなく、図５に示すフロー図のステップＳＴ２１へ移行する。
【００２３】
ステップＳＴ２１においては、手差し給紙か否か判定する。この判定は、手差し部９が本体装置２より開かれているか否かによって判定する。手差し部９が開かれると手差し部センサ４４がオンし、このスイッチ信号が主制御部１１に取り込まれ、手差し部９が開かれたことを検知する。手差し給紙の場合は、ステップＳＴ２２へ移行する。一方、手差し給紙でない場合は、ステップＳＴ２９へ移行する。ステップＳＴ２９においては、通常のプリント処理を実行する。
【００２４】
ステップＳＴ２２においては、２枚以上のプリントか否か判定する。原稿が２枚以上、あるいは同じ原稿を複数枚プリントする場合は、ステップＳＴ２３へ移行する。一方、プリント枚数が１枚の場合は、ステップＳＴ２９へ移行する。この場合は、手差し部９から給紙される場合でも、１枚のプリントであるから、手差しの有無を考慮する必要がなく、したがって、通常のプリント処理とする。
【００２５】
ステップＳＴ２３においては、用紙サイズ不明か否かを判定する。この場合、手差し部９より給紙された用紙サイズを、サイズセンサ４２とサイズセンサ４３で検出する。サイズセンサ４２で用紙の長さを、サイズセンサ４３で用紙の幅を検出する。これらセンサ出力により、定形サイズであれば検出可能であるが、例えば幅が定形のものでない場合、用紙サイズが検出（確定）出来ない場合がある。また、長さが極端に長い場合は、用紙ジャムが発生していることが考えられる。用紙サイズが検出できず、不明の場合は、ステップＳＴ２４へ移行する。一方、用紙サイズが不明でない場合は、ステップＳＴ２９へ移行する。ステップＳＴ２９においては、通常プリント、つまり用紙サイズに応じた間隔で給紙を行う。
【００２６】
ステップＳＴ２４においては、プリント完了か否かを判定する。ここでは、１枚目のプリントが開始され、そのプリントが完了したか否かを判定している。プリントが完了していない場合は、ステップＳＴ２７へ移行する。一方、１枚のプリントが完了した場合は、ステップＳＴ２５へ移行する。
【００２７】
ステップＳＴ２７においては、そのプリント中の用紙の長さ（サイズセンサ４２で、用紙の前端を検知してからの計数値）がＡ３サイズの長さ以内か否かを判定している。Ａ３サイズの長さは、Ａ３サイズの用紙を給紙した場合に、用紙の前端をサイズセンサ４２で検出してから、後端を検出するまでの時間を、サイズメモリ１５ａに記憶している。プリント完了するまでに、サイズセンサ４２で検出するサイズがＡ３長よりも小さい間は、今回の給紙された用紙がＡ３よりも小さいことになる。一方、プリント完了しない間、サイズセンサ４２で検出される用紙の長さがＡ３を越えない場合は、ステップＳＴ２４に戻り、ステップＳＴ２４、ＳＴ２７の処理を繰り返す。
【００２８】
ステップＳＴ２５においては、次ページ有りか否か判定する。プリントすべき次ページがあれば、ステップＳＴ２６へ移行し、既に前ページのプリントが完了しているので、次ページ用紙を給紙する。そして、ステップＳＴ２２へ戻る。その後は、給紙した用紙につき、上述したステップＳＴ２２〜ＳＴ２７の処理を実行する。一方、プリントすべき次ページが無い場合は、何も次の給紙を行うことなく、処理を終了する。
【００２９】
ステップＳＴ２７において、プリントが完了していない状態であり、ここでサイズセンサ４２による用紙の検出長さがＡ３長より大なる場合は、ステップＳＴ２８へ移行する。ステップＳＴ２８においては、用紙ジャムが発生しているものとして必要な処理を行う。例えば「用紙ジャムが発生しています」、「ジャムを除去して下さい」等のメッセージを音声出力部１８より音声出力し、あるいは表示部１９に表示する。
【００３０】
この発明の他の実施形態を、図４に示すフロー図を参照して説明する。この実施形態のジョブが開始されると、ステップＳＴ１１において、手差し部９に対し、用紙セットを受け付ける。続いて、ステップＳＴ１２へ移行する。ステップＳＴ１２においては、既に、サイズ（Ａ）〔例えば、Ａ３、Ａ４、Ｂ４、Ｂ５のいずれか〕を操作部２０より入力しているか否か判定する。操作部２０より入力されていなければ、図３のステップＳＴ２へ移行する。そして、その後は図３に示すフロー図によって処理を実行する。一方、既にサイズ（Ａ）が操作部２０より入力されている場合には、ステップＳＴ１３へ移行する。
【００３１】
ステップＳＴ１３においては、サイズセンサで手差し部９から給紙された用紙サイズ（Ｂ）が検知されたか否か判定する。給紙された用紙サイズ（Ｂ）が検知された場合には、ステップＳＴ１４へ移行する。一方、給紙された用紙サイズ（Ｂ）が検知されていない場合は、ステップＳＴ１９へ移行する。ステップＳＴ１９においては、既に操作部２０より入力済のサイズ（Ａ）を用紙サイズと確定する。
【００３２】
ステップＳＴ１４においては、サイズ（Ａ）とサイズ（Ｂ）が一致するか否かを判定する。一致する場合は、ステップＳＴ１５へ移行する。ステップＳＴ１５においては、一致したそのサイズ（Ａ）〔＝（Ｂ）〕を、用紙サイズと確定する。一方、ステップＳＴ１４において、一致しない場合は、ステップＳＴ１６へ移行する。ステップＳＴ１６においては、表示部１９に「サイズ（Ｂ）を変更しますか」の表示を行い、装置よりユーザに問い合わせる。ユーザがこれに応答して「ＹＥＳ」を選択するか「ＮＯ」を選択する。ステップＳＴ１６に続いて、移行するステップＳＴ１７においては、変更するの入力有りか判定する。
【００３３】
ユーザより「ＹＥＳ」、つまり変更するの入力が有りの場合は、ステップＳＴ１８へ移行する。一方、ユーザより「ＮＯ」、つまり変更しないの入力が有りの場合には、ステップＳＴ１９へ移行する。ステップＳＴ１８においては、サイズ（Ｂ）を用紙サイズと確定する。ステップＳＴ１９においては、操作により既に入力済のサイズ（Ａ）を用紙サイズと確定する。
【図面の簡単な説明】
【００３４】
【図１】この発明の実施形態に係る記録装置としてのファクシミリ装置（複合機）の概略模式図である。
【図２】同実施形態ファクシミリ装置の構成例を示すブロック図である。
【図３】同実施形態ファクシミリ装置における手差し給紙時の処理動作を説明するためのフロー図である。
【図４】他の実施形態ファクシミリ装置における手差し給紙時の処理動作を説明するためのフロー図である。
【図５】図３に付加され、上記実施形態ファクシミリ装置の手差し給紙時の処理動作を説明するためのフロー図である。
【符号の説明】
【００３５】
１          ファクシミリ装置（複写装置）
２          装置本体
３          ＡＤＦ（原稿自動給紙装置）
４          ＦＢＳ（フラットベッドスキャナ）
６          原稿供給トレイ
８          用紙収容カセット
９          手差し部
１０        排紙トレイ
１１        主制御部
１５        ＲＡＭ
１５ａ      サイズメモリ
２１        原稿読取部
２２        画像記録部
２８        手差し部制御部
４０        用紙
４１        感光ドラム
４２、４３  サイズセンサ
４４        手差し部センサ
【図１】
2005194020.tif 000003
【図２】
2005194020.tif 000004
【図３】
2005194020.tif 000005
【図４】
2005194020.tif 000006
【図５】
2005194020.tif 000007